(57)【要約】【課題】着座者の症状や体格に合わせて利用され、着座者の姿勢を安定させることが可能な椅子用クッションを提供する。【解決手段】椅子用クッション１は、基部１０と、基部１０の一面における任意の位置に着脱可能に配置され、基部１０上に着座した利用者の身体に直接又は間接的に当接して、利用者の身体を支えるブロック体２０と、を備える。ブロック体２０はモールドウレタンを含んでおり、モールドウレタンのＪＩＳ  Ｋ６４００−２Ｄ法に準拠して測定された２５％圧縮硬さは、４００〜８００Ｎ／３１４ｃｍ２である。【選択図】図１
2018051148.tif 000002
【特許請求の範囲】
【請求項１】
基部と、
前記基部の一面における任意の位置に着脱可能に配置され、前記基部上に着座した利用者の身体に直接又は間接的に当接して、前記利用者の身体を支えるブロック体と、
を備えることを特徴とする椅子用クッション。
【請求項２】
前記基部は、積層体であり、ニードルパンチカーペットで形成された層を含んでいる、
ことを特徴とする請求項１に記載の椅子用クッション。
【請求項３】
前記ブロック体は、モールドウレタンを含んでおり、
当該モールドウレタンのＪＩＳ  Ｋ６４００−２Ｄ法に準拠して測定された２５％圧縮硬さは、４００〜８００Ｎ／３１４ｃｍ２である、
ことを特徴とする請求項１又は２に記載の椅子用クッション。
【請求項４】
車椅子の座面に載置されて使用される、
ことを特徴とする請求項１から３のいずれか１項に記載の椅子用クッション。
【発明の詳細な説明】
【技術分野】
【０００１】
本発明は、椅子用クッションに関する。
【背景技術】
【０００２】
身体の不自由な者が椅子に着座する場合、身体の麻痺や、椅子の座面のサイズが体格に合っていないこと等が原因で、椅子に着座した姿勢を維持することが困難となって、上半身が傾いたり、身体が前にずれたりすることがある。このような上半身の傾きや身体のずれを防止するために、椅子の座面と身体との間に敷かれて、着座者の姿勢を安定させる椅子用クッションが種々提案されている。
【０００３】
例えば、特許文献１に、車椅子の座面に敷く主クッションの表面に副クッションを設け、副クッションにより着座者の大腿部を持ち上げることで、着座者の身体が前にずれないようにし、着座者の姿勢を安定させる車椅子用座布団が開示されている。また、特許文献２に、骨盤を背面から支える後方支持部材と、骨盤を左右両側から支える側方支持部材と、両足の大腿部を持ち上げる大腿部座面と、を備え、これら後方支持部材、側方支持部材及び大腿部座面によって骨盤を全方向から支えることで、身体のずれと傾きを防ぎ、着座者の姿勢を安定させる車椅子用クッションが開示されている。
【先行技術文献】
【特許文献】
【０００４】
【特許文献１】特開２００３−０７０８４４号公報
【特許文献２】特開２００６−１３６５５２号公報
【発明の概要】
【発明が解決しようとする課題】
【０００５】
特許文献１に開示された車椅子用座布団を利用すると、着座者の身体が前にずれることは防げるが、着座者の上半身が左右へ傾くことは防げない。したがって、例えば身体の麻痺により、着座した状態で上半身が左右に傾きやすい者は、特許文献１に開示された車椅子用座布団を利用できない。
【０００６】
また、特許文献２に開示された車椅子用クッションを利用すると、後方支持部材、側方支持部材及び大腿部座面により着座者の骨盤が全方向から支えられるが、着座者によっては、このような車椅子用クッションの構成を望まない場合がある。例えば、足が健常な着座者が、足で床面を蹴って車椅子を移動させたいと考えた場合、大腿部座面により大腿部が持ち上げられていると、着座者の体格によっては足が床面に届かず、足で床面を蹴って車椅子を移動させることができないことがある。この場合、着座者の体格を考慮すると、大腿部座面は不要と考えられる。
【０００７】
このように、特許文献１に開示された車椅子用座布団や、特許文献２に開示された車椅子用クッションは、各々の着座者の症状や体格に合わせて利用されることができない。
【０００８】
本発明は、上記実状に鑑みてなされたものであり、各々の着座者の症状や体格に合わせて利用され、着座者の姿勢を安定させることが可能な椅子用クッションを提供することを目的とする。
【課題を解決するための手段】
【０００９】
上記目的を達成するため、本発明の椅子用クッションは、
基部と、
前記基部の一面における任意の位置に着脱可能に配置され、前記基部上に着座した利用者の身体に直接又は間接的に当接して、前記利用者の身体を支えるブロック体と、
を備える。
【００１０】
例えば、前記基部は、積層体であり、ニードルパンチカーペットで形成された層を含んでいても良い。
【００１１】
例えば、前記ブロック体は、モールドウレタンを含んでおり、当該モールドウレタンのＪＩＳ  Ｋ６４００−２Ｄ法に準拠して測定された２５％圧縮硬さは、４００〜８００Ｎ／３１４ｃｍ２であっても良い。
【００１２】
例えば、本発明の椅子用クッションは、車椅子の座面に載置されても良い。
【発明の効果】
【００１３】
本発明によれば、着座者の症状や体格に合わせて、着座者の姿勢を安定させることができる。
【図面の簡単な説明】
【００１４】
【図１】本発明の実施の形態に係る椅子用クッションの斜視図であって、カバー部材から基部とブロック体とを取り出した状態を示す図である。
【図２】実施の形態に係る基部の斜視図である。
【図３】実施の形態に係る基部とブロック体の斜視図である。
【図４】実施の形態に係るブロック体の第１の使用例を説明する為の斜視図である。
【図５】実施の形態に係るブロック体の第２の使用例を説明する為の斜視図である。
【図６】実施の形態に係るブロック体の第３の使用例を説明する為の斜視図である。
【図７】実施の形態に係るブロック体の第４の使用例を説明する為の斜視図である。
【発明を実施するための形態】
【００１５】
以下、図面を参照して、本発明の実施の形態に係る椅子用クッションを説明する。
【００１６】
椅子用クッション１は、椅子の座面に載置されて使用されるクッションであって、例えば車椅子の座面に載置されて使用される。椅子用クッション１は、図１に示すように、基部１０と、ブロック体２０と、基部１０及びブロック体２０を収容可能な袋状のカバー部材３０と、を備える。
【００１７】
基部１０は、椅子の座面に直接又は間接的に敷かれる部材であり、基部１０上に利用者が着座する。基部１０は、図２に示すように、第１のウレタンフォーム１１及び第２のウレタンフォーム１２と、カーペット部材１３と、第１の接続部材１４と、を備える。基部１０は積層体であり、第１のウレタンフォーム１１、第２のウレタンフォーム１２、カーペット部材１３及び第１の接続部材１４が、この順に積層されている。
【００１８】
第１のウレタンフォーム１１は、例えば市販のスラブウレタンであって、ＪＩＳ  Ｋ７２２２に準拠して測定された密度が１８．５〜２１．５ｋｇ／ｍ３であることが好ましく、２０ｋｇ／ｍ３であることがより好ましい。また、第１のウレタンフォーム１１のＪＩＳ  Ｋ６４００−２Ｄ法に準拠して測定された２５％圧縮硬さは、９３．１〜１３２．３Ｎ／３１４ｃｍ２であることが好ましく、１１２．７Ｎ／３１４ｃｍ２であることがより好ましい。
【００１９】
第１のウレタンフォーム１１の積層方向の長さは、９．５ｍｍ〜１０．５ｍｍであることが好ましく、１０．０ｍｍであることがより好ましい。
【００２０】
第２のウレタンフォーム１２は、例えば市販のスラブウレタンであって、ＪＩＳ  Ｋ７２２２に準拠して測定された密度が１４．５〜１７．５ｋｇ／ｍ３であることが好ましく、１６ｋｇ／ｍ３であることがより好ましい。また、第２のウレタンフォーム１２のＪＩＳ  Ｋ６４００−２Ｄ法に準拠して測定された２５％圧縮硬さは、６８．６〜９８．０Ｎ／３１４ｃｍ２であることが好ましく、８３．３Ｎ／３１４ｃｍ２であることがより好ましい。
【００２１】
第２のウレタンフォーム１２の積層方向の長さは、１９．５ｍｍ〜２０．５ｍｍであることが好ましく、２０．０ｍｍであることがより好ましい。
【００２２】
第１のウレタンフォーム１１と第２のウレタンフォーム１２の密度、硬さ及び積層方向の長さを上記の範囲又は値とすることで、着座者の臀部の沈み込みを抑制しつつ、着座者にソフト感を与えることができる。
【００２３】
カーペット部材１３は、例えばポリプロピレンを含んだニードルパンチカーペットから形成されている。カーペット部材１３の面のうち、第２のウレタンフォーム１２に対向する面とは反対側の面である特定面１３１には、第１の接続部材１４が取り付けられている。
【００２４】
第１の接続部材１４は、後述する第２の接続部材２２とともに、基部１０とブロック体２０とを着脱可能に接続させる為の部材である。第１の接続部材１４は、帯状である面ファスナーの雄部材で形成されており、特定面１３１のほぼ全面に取り付けられている。
【００２５】
ここで、基部１０において、特定面１３１と、第１の接続部材１４の面のうち特定面１３１に対向する面とは反対側の面と、で形成された面を配置面（一面）１５という。配置面１５は、着座した利用者の臀部と対向する面、又は着座した利用者の臀部と対向する面とは反対側の面となる。
【００２６】
図１及び図３に示すブロック体２０は、基部１０上に着座した利用者の身体に直接又は基部１０を介して間接的に当接して、利用者の身体を支える部材である。ブロック体２０は、図３に示すように、モールドウレタン２１と、第２の接続部材２２と、を備える。ブロック体２０は積層体であり、モールドウレタン２１と第２の接続部材２２が積層を形成している。
【００２７】
モールドウレタン２１は、ＪＩＳ  Ｋ７２２２に準拠して測定された密度が８０〜１２０ｋｇ／ｍ３であることが好ましく、１００ｋｇ／ｍ３であることがより好ましい。また、モールドウレタン２１のＪＩＳ  Ｋ６４００−２Ｄ法に準拠して測定された２５％圧縮硬さは、４００〜８００Ｎ／３１４ｃｍ２であることが好ましく、６００Ｎ／３１４ｃｍ２であることがより好ましい。
【００２８】
モールドウレタン２１の密度と硬さを上記の範囲又は値とすることで、ブロック体２０が適度なクッション性を有するとともに圧縮変形しにくくなり、着座者の体を支える上で好適となる。
【００２９】
また、モールドウレタン２１の積層方向の長さは、着座者の体を支えるために、２９．５ｍｍ〜３０．５ｍｍであることが好ましく、３０．０ｍｍであることがより好ましい。
【００３０】
第２の接続部材２２は、第１の接続部材１４とともに、基部１０とブロック体２０とを着脱可能に接続させる為の部材である。第２の接続部材２２は、ポリプロピレンを含んだニードルパンチカーペットにより形成されている。ここで、第２の接続部材２２を形成するニードルパンチカーペットと、第１の接続部材１４を形成する面ファスナーの雄部材とは、着脱可能である。
【００３１】
そして、図２に示すように、第１の接続部材１４は、基部１０の特定面１３１のほぼ全面に配設されているので、ブロック体２０は基部１０の配置面１５における任意の位置に着脱可能に配置されることができる。
【００３２】
このようなブロック体２０は、基部１０上に着座した利用者の身体を支えて、姿勢を安定させるために用いられる。以下、図４から図７を用いて、基部１０上に着座した利用者の身体を支えるブロック体２０の使用例を述べる。
【００３３】
例えば、着座した状態で上半身が左右に傾いたり、体が前にずれたりする者には、図４に示すように、ブロック体２０を、基部１０を介して着座者の臀部の左右端部および大腿部と対向させるように、基部１０の配置面１５に配置すると良い。これにより、主に、基部１０において配置面１５にブロック体２０が配置されていない部分が着座者の重みで下方に撓むので、着座者の臀部の中央部が下方に沈み込んだ状態となる。そして、ブロック体２０が着座者の骨盤を左右と前から囲んだ状態となる。これにより、ブロック体２０が、基部１０を介して着座者の骨盤を左右と前から支えるので、着座者の骨盤を安定させ、上半身が左右に傾いたり、身体が前にずれたりするのを防止できる。
【００３４】
また、麻痺などにより、着座した状態で上半身が左にのみ傾く者には、図５に示すように、ブロック体２０を、基部１０を介して着座者の臀部の左端部と対向させるように、基部１０の配置面１５に配置すると良い。これにより、主に、基部１０において配置面１５にブロック体２０が配置されていない部分が着座者の重みで下方に撓むので、着座者の臀部の中央部や右部分、大腿部などが下方に沈み込んだ状態となる。そして、ブロック体２０が基部１０を介して着座者の骨盤を左から支えた状態となる。これにより、着座者の上半身が左に傾くのを防ぐことができる。ここで、着座者の大腿部はブロック体２０により持ち上げられていないので、足を床面に付けることが可能となる。したがって、椅子用クッション１が車椅子の座面に載置されている場合であって着座者の足が健常であるならば、着座者は足で床面を蹴って車椅子を移動させることが可能である。
【００３５】
なお、着座した状態で上半身が右方向にのみ傾く者には、ブロック体２０を、基部１０を介して着座者の臀部の右端部と対向させるように、基部１０の配置面１５に配置すると良い。
【００３６】
また、着座者の体が前にずれることのみを防ぎたい場合には、ブロック体２０を、基部１０を介して着座者の大腿部と対向させるように、基部１０の配置面１５に配置すると良い。これにより、主に、基部１０において配置面１５にブロック体２０が配置されていない部分が着座者の重みで下方に撓むので、着座者の臀部全体が下方に沈み込み、ブロック体２０が着座者の大腿部を持ち上げた状態となる。そして、ブロック体２０が着座者の骨盤を前から支えた状態となる。これにより、ブロック体２０が、基部１０を介して着座者の骨盤を前から保持し、着座者の骨盤を安定させるので、身体が前にずれるのを防止できる。
【００３７】
ここで、麻痺や筋力の低下などにより、上半身が左右に傾くことに加え、片足（例えば左足）が不自由である者が着座する場合、着座者は、もう片方の正常な足（右足）で床面を蹴り、車椅子を移動させる動作をすることを望む場合がある。この場合、図６に示すように、ブロック体２０を、基部１０を介して着座者の臀部の左右端部および不自由な足（左足Ｌ）の大腿部に対向させるように、基部１０の配置面１５に配置する。そして、正常な足（右足Ｒ）の大腿部の下方に位置する基部１０の配置面１５にはブロック体２０を配置しなければ良い。
【００３８】
これにより、不自由な足（左足Ｌ）は基部１０を介してブロック体２０により持ち上げられて、ブロック体２０が着座者の骨盤を前から支えた状態となるので、前すべりにより着座者の姿勢が不安定になるのを防止できる。また、正常な足（右足Ｒ）はブロック体２０により持ち上げられないので足を床面に付けることが可能となり、正常な足（右足Ｒ）で床面を蹴り車椅子を移動させることが可能となる。さらに、ブロック体２０が基部１０を介して着座者の骨盤を左右方向から保持しているので、上半身が左右方向に傾くのを防止できる。
【００３９】
ここで、図３に示す通り、ブロック体２０はモールドウレタン２１を含んでいるが、モールドウレタン２１の密度と硬さを上記の範囲又は値とすることで、ブロック体２０が適度なクッション性を有するとともに圧縮変形しにくくなる。そのため、例えば図４から図６に示すような状態で、長時間において着座者の身体が基部１０を介してブロック体２０に接触しても身体的苦痛は発生しにくく、かつ、着座者の体を支えることが可能となる。
【００４０】
また、基部１０はカーペット部材１３で形成された層を含んでいるが、カーペット部材１３は、ブロック体２０の角が着座者の身体に接触して着座者に身体的苦痛を与えるのを防いでいる。
さらに、基部１０は第１のウレタンフォーム１１及び第２のウレタンフォーム１２で形成された層を含んでいるが、第１のウレタンフォーム１１及び第２のウレタンフォーム１２は、ブロック体２０およびカーペット部材１３と着座者の身体との接触を軽減し、座り心地を良くしている。
【００４１】
なお、ブロック体２０を、着座者の身体に直接当接するように、基部１０の配置面１５に配置しても良い。例えば、着座した状態で上半身が左右に傾いたり、体が前にずれたりする者には、図７に示すように、ブロック体２０を、着座者の身体における左右側に当接させるように基部１０の配置面１５に配置するとともに、着座者の大腿部と基部１０の配置面１５との間に配置し着座者の大腿部に当接させると良い。これにより、ブロック体２０が着座者の骨盤を左右方向から保持するとともに、ブロック体２０が着座者の大腿部を持ち上げることで骨盤を前方向から保持するので、着座者の骨盤を安定させ、上半身が左右方向に傾いたり、身体が前にずれたりするのを防止できる。
【００４２】
カバー部材３０は、ポリエステル素材で形成されており、図１に示すように、基部１０及びブロック体２０を開口部３１から出し入れ可能に収容する部材である。開口部３１は、図示せぬファスナーで開閉可能となっている。カバー部材３０の面のうち、椅子用クッション１の使用時に椅子の座面と接触する面には、滑り止めシートが貼り付けられている。基部１０とブロック体２０をカバー部材３０に収容した場合、利用者は、カバー部材３０を介して基部１０上に着座することとなる。
【００４３】
次に、椅子用クッション１の製造方法を説明する。
【００４４】
まず、ウレタンフォーム原反とモールドウレタン原反を、バーチルカッター及びスライサーなどを用いてカット及びスライスを行い、ウレタンフォーム原反から４００角で厚さが２０ｍｍと１０ｍｍのウレタンフォームと、モールドウレタン原反から４００角で厚さが３０ｍｍのモールドウレタンとを形成する。
【００４５】
次に、ニードルパンチカーペット原反を用意して、バーチルカッター及びスライサーなどを用いてカットとスライスを行い、４００角のニードルパンチカーペットを２つ形成する。
そして、そのうちの１つのニードルパンチカーペットにおける一つの面に、帯状である面ファスナーの雄部材を６つ並べて縫い付ける。
【００４６】
そして、上述の厚さ１０ｍｍのウレタンフォームと、厚さ２０ｍｍのウレタンフォームと、面ファスナーが縫い付けられたニードルパンチカーペットとを、クロロプレン系接着剤を用いて、この順に厚さ方向に接着し、図２に示す基部１０を形成する。
【００４７】
次に、残り１つのニードルパンチカーペットと、４００角で厚さが３０ｍｍのモールドウレタンとを、クロロプレン系接着剤を用いて厚さ方向に接着し、それを図３に示すように８つのブロック体にカットすることで、ブロック体２０を形成する。
【００４８】
そして、基部１０を形成する面ファスナー（第１の接続部材１４）とブロック体２０を形成するニードルパンチカーペット（第２の接続部材２２）とを接続させることで、８つのブロック体２０を基部１０に接続させる。
【００４９】
次に、ポリエステル素材を用意し、そのポリエステル素材で袋状のカバーを形成し、その袋状のカバーの開口をファスナーで開閉可能に形成する。そして、そのカバーの１つの面に滑り止めシートを貼り付けてカバー部材３０が完成する。
【００５０】
そして、カバー部材３０に、基部１０及びブロック体２０を収容すると、椅子用クッション１が完成する。
【００５１】
このような椅子用クッション１は、ブロック体２０を、基部１０の配置面１５における任意の位置に配置して、着座者の身体に直接又は間接的に当接させることで、着座者の症状や体格に合わせて着座者の骨盤を安定させ、姿勢を安定させることができる。
【００５２】
この発明は、上記の実施の形態に限定されず、種々の変形及び応用が可能である。
【００５３】
例えば、ブロック体２０は、図３に示すように８つ形成されているが、着座者の姿勢を安定させることができるならば、ブロック体２０は８つではなく、例えば１６つでもよく、それ以外の数でも良い。また、ブロック体２０は、着座者の姿勢を安定させることができるならば、立方体形状や直方体形状などであってもよく、どのような形状であっても良い。
【００５４】
さらに、第１の接続部材１４は面ファスナーの雄部材であり、第２の接続部材２２はニードルパンチカーペットであるとしたが、基部１０とブロック体２０とを着脱可能に接続させることができるならば、これらの接続部材として他の部材を用いても良い。具体的には、例えば、第１の接続部材１４を面ファスナーの雄部材ではなくボタンの雄部材とし、第２の接続部材２２をニードルパンチカーペットではなくボタンの雌部材としても良い。
【００５５】
また、第１の接続部材１４は、ブロック体２０を基部１０の配置面１５における任意の位置に着脱可能に配置させることができるならば、基部１０の特定面１３１における任意の位置に取り付けられていても良い。なお、第１の接続部材１４は、図２に示すように６つで形成されているとしたが、いくつで形成されていても良い。
【００５６】
さらに、第１のウレタンフォーム１１及び第２のウレタンフォーム１２の密度及び硬さは、上記の範囲又は値に限定されないが、第１のウレタンフォーム１１の密度は第２のウレタンフォーム１２の密度よりも高いことが望ましく、第１のウレタンフォーム１１の硬さは第２のウレタンフォーム１２の硬さよりも硬いことが望ましい。
【００５７】
また、モールドウレタン２１は、例えばウレタンを粉砕して圧縮成型した市販のモールドチップ品であってもよい。
さらに、クッション性を有する部材として、第１のウレタンフォーム１１、第２のウレタンフォーム１２及びモールドウレタン２１を用いたが、これらと同様のクッション性や硬さを有するならば、特にウレタンでなくてもよく、例えばポリエチレン、天然ゴム（ＮＲ）、クロロプレンゴム（ＣＲ）等の発泡品や、その他の代用品であってもよい。
【００５８】
また、カバー部材３０は、ポリエステル素材を用いて形成されるとしたが、ＰＶＣ（ポリ塩化ビニル）レザーなど他の素材を用いて形成されてもよい。
さらに、カバー部材３０に滑り止めシートを貼り付けるとしたが、椅子の座面に滑り止めが付いている場合など、滑り止めシートが不要と考えられる場合は、滑り止めシートは貼り付けられていなくても良い。
また、椅子用クッション１はカバー部材３０を備えているとしたが、着座者の好みなどにより、カバー部材３０が不要と考えられる場合は、椅子用クッション１はカバー部材３０を備えていなくてもよい。
【００５９】
さらに、基部１０は、第１のウレタンフォーム１１、第２のウレタンフォーム１２、カーペット部材１３及び第１の接続部材１４を備える積層体であるとしたが、利用者が基部１０上に着座でき、ブロック体２０と着脱可能であるならば、このような積層体でなくても良い。例えば、基部１０は、第１のウレタンフォーム１１、カーペット部材１３及び第１の接続部材１４のみで形成されていても良く、どのような構成であっても良い。
【００６０】
また、ブロック体２０は、モールドウレタン２１と第２の接続部材２２を含む積層体であるとしたが、基部１０の配置面１５に着脱可能に配置され、利用者の身体を支えることが出来るならば、積層体でなくても良く、上述のような任意の部材で構成されていても良い。
【００６１】
また、身体が不自由でない者は、全てのブロック体２０を基部１０の配置面１５に配置した状態で、基部１０上に着座して椅子用クッション１を使用してもよい。
【符号の説明】
【００６２】
１  椅子用クッション
１０  基部
１１  第１のウレタンフォーム
１２  第２のウレタンフォーム
１３  カーペット部材
１４  第１の接続部材
１５  配置面（一面）
２０  ブロック体
２１  モールドウレタン
２２  第２の接続部材
３０  カバー部材
３１  開口部
１３１  特定面
Ｌ  左足
Ｒ  右足
【図１】
2018051148.tif 000003
【図２】
2018051148.tif 000004
【図３】
2018051148.tif 000005
【図４】
2018051148.tif 000006
【図５】
2018051148.tif 000007
【図６】
2018051148.tif 000008
【図７】
2018051148.tif 000009